(57)【要約】      （修正有）【課題】走行モードの切り換えに際しての燃費の悪化を抑制するハイブリッド車両用駆動装置の制御装置を提供する。【解決手段】走行モード「１速」〜「４速」の何れかから、走行モード「ＥＶ１」又は「ＥＶ２」への移行に際して、クラッチＣＬ１及びブレーキＢＫ１を解放させ、第１電動機ＭＧ１及び第２電動機ＭＧ２の少なくとも一方の出力トルクによりエンジン１２の回転速度を低下させる第１の制御、及び、クラッチＣＬ１又はブレーキＢＫ１の係合を維持し、車輪６０側からの減速度によりエンジン１２の回転速度を低下させる第２の制御の何れかを、車速又はエンジン回転速度と車両減速勾配とに基づいて選択的に実行するものであることから、車両の走行状態に応じて適切な制御を行うことで、エンジン停止時の消費電力を抑制できる。【選択図】図１
2015229473.tif 000002
【特許請求の範囲】
【請求項１】
全体として４つの回転要素を有する第１差動機構及び第２差動機構と、
前記４つの回転要素にそれぞれ連結されたエンジン、第１電動機、第２電動機、及び出力部材と、
係合されることで、前記第１差動機構又は前記第２差動機構における、前記エンジンからの入力回転に係る変速比を固定変速比とする係合要素と
を、備えたハイブリッド車両用駆動装置において、
前記係合要素を係合させると共に前記エンジンの駆動を行う走行モードから、前記係合要素を解放させると共に前記エンジンを停止させる走行モードへの移行に際して、
前記係合要素を解放させ、前記第１電動機及び前記第２電動機の少なくとも一方の出力トルクにより前記エンジンの回転速度を低下させる第１の制御、
及び、前記係合要素の係合を維持し、車輪側からの減速度により前記エンジンの回転速度を低下させる第２の制御
の何れかを、車速又はエンジン回転速度と車両減速勾配とに基づいて選択的に実行する
ことを特徴とする制御装置。
【請求項２】
前記係合要素を係合させると共に前記エンジンの駆動を行う走行モードから、前記係合要素を解放させると共に前記エンジンを停止させる走行モードへの移行に際して、
車速又はエンジン回転速度が所定値未満であり、且つ車両減速勾配が所定値以上である場合には前記第２の制御を実行し、それ以外の場合には前記第１の制御を実行する
請求項１に記載の制御装置。
【請求項３】
前記ハイブリッド車両用駆動装置は、
前記４つの回転要素のうちの１つは、前記第１差動機構の回転要素と前記第２差動機構の回転要素とがクラッチを介して選択的に連結されるものであり、
前記係合要素及び前記クラッチを解放させると共に、前記エンジンを停止させて前記第２電動機から出力されるトルクにより走行を行う第１のＥＶ走行モードと、
前記係合要素を解放させ且つ前記クラッチを係合させると共に、前記エンジンを停止させて前記第１電動機及び前記第２電動機の少なくとも一方から出力されるトルクにより走行を行う第２のＥＶ走行モードと
を、選択的に成立させるものであり、
前記係合要素を係合させると共に前記エンジンの駆動を行う走行モードから、前記第２のＥＶ走行モードへの移行に際して、エンジン回転速度が所定値未満である場合には、前記クラッチを係合させて前記エンジンの回転速度を低下させる
請求項１又は２に記載の制御装置。
【発明の詳細な説明】
【技術分野】
【０００１】
本発明は、ハイブリッド車両用駆動装置の制御装置の改良に関する。
【背景技術】
【０００２】
全体として４つの回転要素を有する第１差動機構及び第２差動機構と、前記４つの回転要素にそれぞれ連結されたエンジン、第１電動機、第２電動機、及び出力部材と、係合されることで、前記第１差動機構又は前記第２差動機構における、前記エンジンからの入力回転に係る変速比を固定変速比とする係合要素とを、備えたハイブリッド車両用駆動装置が知られている。例えば、特許文献１に記載されたハイブリッド車両変速機がその一例である。この技術によれば、複数の係合要素の係合又は解放の組み合わせに応じて、前記ハイブリッド車両用駆動装置において複数の走行モードを選択的に成立させることができる。
【先行技術文献】
【特許文献】
【０００３】
【特許文献１】特開２０１１−９８７１２号公報
【発明の概要】
【発明が解決しようとする課題】
【０００４】
前記従来の技術では、前記係合要素を係合させると共に前記エンジンの駆動を行う走行モードである固定段変速モードから、前記係合要素を解放させると共に前記エンジンを停止させる走行モードであるＥＶ走行モードへの切り換えに際して、前記エンジンの回転速度を低下させ、延いては停止させる必要がある。このため、例えば、前記第１電動機及び前記第２電動機の少なくとも一方の出力トルクにより前記エンジンの回転速度を低下させる制御を行うことが考えられる。しかし、前記エンジンの回転を停止させるため一律に電動機のトルクを利用するものでは、燃費が悪化するおそれがあった。このような課題は、ハイブリッド車両の性能向上を意図して本発明者等が鋭意研究を続ける過程において新たに見出したものである。
【０００５】
本発明は、以上の事情を背景として為されたものであり、その目的とするところは、走行モードの切り換えに際しての燃費の悪化を抑制するハイブリッド車両用駆動装置の制御装置を提供することにある。
【課題を解決するための手段】
【０００６】
斯かる目的を達成するために、本第１発明の要旨とするところは、全体として４つの回転要素を有する第１差動機構及び第２差動機構と、前記４つの回転要素にそれぞれ連結されたエンジン、第１電動機、第２電動機、及び出力部材と、係合されることで、前記第１差動機構又は前記第２差動機構における、前記エンジンからの入力回転に係る変速比を固定変速比とする係合要素とを、備えたハイブリッド車両用駆動装置において、前記係合要素を係合させると共に前記エンジンの駆動を行う走行モードから、前記係合要素を解放させると共に前記エンジンを停止させる走行モードへの移行に際して、前記係合要素を解放させ、前記第１電動機及び前記第２電動機の少なくとも一方の出力トルクにより前記エンジンの回転速度を低下させる第１の制御、及び、前記係合要素の係合を維持し、車輪側からの減速度により前記エンジンの回転速度を低下させる第２の制御の何れかを、車速又はエンジン回転速度と車両減速勾配とに基づいて選択的に実行することを特徴とする制御装置である。
【発明の効果】
【０００７】
前記第１発明によれば、前記係合要素を係合させると共に前記エンジンの駆動を行う走行モードから、前記係合要素を解放させると共に前記エンジンを停止させる走行モードへの移行に際して、前記係合要素を解放させ、前記第１電動機及び前記第２電動機の少なくとも一方の出力トルクにより前記エンジンの回転速度を低下させる第１の制御、及び、前記係合要素の係合を維持し、車輪側からの減速度により前記エンジンの回転速度を低下させる第２の制御の何れかを、車速又はエンジン回転速度と車両減速勾配とに基づいて選択的に実行するものであることから、車両の走行状態に応じて適切な制御を行うことで、前記エンジン停止時の消費電力を抑制できる。すなわち、走行モードの切り換えに際しての燃費の悪化を抑制するハイブリッド車両用駆動装置の制御装置を提供することができる。
【０００８】
前記第１発明に従属する本第２発明の要旨とするところは、前記係合要素を係合させると共に前記エンジンの駆動を行う走行モードから、前記係合要素を解放させると共に前記エンジンを停止させる走行モードへの移行に際して、車速又はエンジン回転速度が所定値未満であり、且つ車両減速勾配が所定値以上である場合には前記第２の制御を実行し、それ以外の場合には前記第１の制御を実行するものである。このようにすれば、車両の走行状態に応じて適宜前記第１の制御及び第２の制御を選択的に実行することで、消費電力を抑制しつつ好適なエンジン停止制御を実現できる。
【０００９】
前記第１発明又は第２発明に従属する本第３発明の要旨とするところは、前記ハイブリッド車両用駆動装置は、前記４つの回転要素のうちの１つは、前記第１差動機構の回転要素と前記第２差動機構の回転要素とがクラッチを介して選択的に連結されるものであり、前記係合要素及び前記クラッチを解放させると共に、前記エンジンを停止させて前記第２電動機から出力されるトルクにより走行を行う第１のＥＶ走行モードと、前記係合要素を解放させ且つ前記クラッチを係合させると共に、前記エンジンを停止させて前記第１電動機及び前記第２電動機の少なくとも一方から出力されるトルクにより走行を行う第２のＥＶ走行モードとを、選択的に成立させるものであり、前記係合要素を係合させると共に前記エンジンの駆動を行う走行モードから、前記第２のＥＶ走行モードへの移行に際して、エンジン回転速度が所定値未満である場合には、前記クラッチを係合させて前記エンジンの回転速度を低下させるものである。このようにすれば、エンジン停止時における共振の発生を好適に抑制することができる。
【００１０】
前記第１発明から第３発明の何れかにおいて、好適には、前記ハイブリッド車両用駆動装置は、第１回転要素、第２回転要素、及び第３回転要素を備えた前記第１差動機構と、第１回転要素、第２回転要素、及び第３回転要素を備えた前記第２差動機構とを、備え、前記第１差動機構の第１回転要素に前記第１電動機が連結され、前記第１差動機構の第２回転要素に前記エンジンが連結され、前記第１差動機構の第３回転要素と前記第２差動機構の第３回転要素とが相互に連結され、前記第２差動機構の第２回転要素に前記出力部材が連結され、前記第２差動機構の第３回転要素に前記第２電動機が連結されたものである。
【００１１】
前記第１発明から第３発明の何れかにおいて、好適には、前記第１差動機構又は前記第２差動機構における、前記エンジンからの入力回転に係る変速比を固定変速比とする前記係合要素は、前記第１差動機構の第１回転要素と第２回転要素とを選択的に連結するクラッチ、又は、前記第１差動機構の第１回転要素と前記非回転部材とを選択的に連結するブレーキである。
【００１２】
前記第３発明において、好適には、前記クラッチは、前記第１差動機構における第２回転要素と前記第２差動機構における第１回転要素とを選択的に連結するクラッチである。前記ハイブリッド車両用駆動装置は、好適には、前記クラッチによる係合対象となる前記第２差動機構における第１回転要素と前記非回転部材とを選択的に連結するブレーキを備えている。
【図面の簡単な説明】
【００１３】
【図１】本発明が好適に適用される駆動装置の構成を説明する骨子図である。
【図２】図１の駆動装置に備えられた制御系統の要部を説明する図である。
【図３】図１の駆動装置において成立させられる走行モードそれぞれにおけるクラッチ及びブレーキの係合状態を示す係合表である。
【図４】図１の駆動装置において各回転要素の回転速度の相対関係を直線上で表すことができる共線図であり、図３の「ＨＶ１」、「ＥＶ１」に対応する図である。
【図５】図１の駆動装置において各回転要素の回転速度の相対関係を直線上で表すことができる共線図であり、図３の「ＨＶ２」に対応する図である。
【図６】図１の駆動装置において各回転要素の回転速度の相対関係を直線上で表すことができる共線図であり、図３の「ＥＶ２」に対応する図である。
【図７】図１の駆動装置において各回転要素の回転速度の相対関係を直線上で表すことができる共線図であり、図３の「１速」に対応する図である。
【図８】図１の駆動装置において各回転要素の回転速度の相対関係を直線上で表すことができる共線図であり、図３の「２速」に対応する図である。
【図９】図１の駆動装置において各回転要素の回転速度の相対関係を直線上で表すことができる共線図であり、図３の「３速」に対応する図である。
【図１０】図１の駆動装置において各回転要素の回転速度の相対関係を直線上で表すことができる共線図であり、図３の「４速」に対応する図である。
【図１１】図１の駆動装置の電子制御装置に備えられた制御機能の要部を説明する機能ブロック線図である。
【図１２】図１の駆動装置の電子制御装置により実行される本実施例の走行モード切替制御の一例の要部を説明するフローチャートである。
【図１３】図１の駆動装置の電子制御装置により実行される本実施例の走行モード切替制御の他の一例の要部を説明するフローチャートである。
【発明を実施するための形態】
【００１４】
以下、本発明の好適な実施例を図面に基づいて詳細に説明する。以下の説明に用いる図面において、各部の寸法比等は必ずしも正確には描かれていない。
【実施例】
【００１５】
図１は、本発明が好適に適用されるハイブリッド車両用駆動装置１０（以下、単に駆動装置１０という）の構成を説明する骨子図である。この図１に示すように、本実施例の駆動装置１０は、例えばＦＦ（前置エンジン前輪駆動）型車両等に好適に用いられる横置き用の装置であり、主動力源であるエンジン１２、第１電動機ＭＧ１、第２電動機ＭＧ２、第１差動機構としての第１遊星歯車装置１４、及び第２差動機構としての第２遊星歯車装置１６を共通の中心軸ＣＥ上に備えて構成されている。以下の実施例において、特に区別しない場合には、この中心軸ＣＥの軸心の方向を軸方向（軸心方向）という。前記駆動装置１０は、中心軸ＣＥに対して略対称的に構成されており、図１においては中心線の下半分を省略して図示している。以下の各実施例についても同様である。
【００１６】
前記エンジン１２は、例えば、気筒内噴射されるガソリン等の燃料の燃焼によって駆動力を発生させるガソリンエンジン等の内燃機関である。前記第１電動機ＭＧ１及び第２電動機ＭＧ２は、好適には、何れも駆動力を発生させるモータ（発動機）及び反力を発生させるジェネレータ（発電機）としての機能を有する所謂モータジェネレータであり、それぞれのステータ（固定子）１８、２２が非回転部材であるハウジング（ケース）２６に固設されると共に、各ステータ１８、２２の内周側にロータ（回転子）２０、２４を備えて構成されている。
【００１７】
前記第１遊星歯車装置１４は、ギヤ比がρ１であるシングルピニオン型の遊星歯車装置であり、第１回転要素としてのリングギヤＲ１、ピニオンギヤＰ１を自転及び公転可能に支持する第２回転要素としてのキャリアＣ１、及びピニオンギヤＰ１を介してリングギヤＲ１と噛み合う第３回転要素としてのサンギヤＳ１を回転要素（要素）として備えている。前記第２遊星歯車装置１６は、ギヤ比がρ２であるシングルピニオン型の遊星歯車装置であり、第１回転要素としてのリングギヤＲ２、ピニオンギヤＰ２を自転及び公転可能に支持する第２回転要素としてのキャリアＣ２、及びピニオンギヤＰ２を介してリングギヤＲ２と噛み合う第３回転要素としてのサンギヤＳ２を回転要素（要素）として備えている。
【００１８】
前記第１遊星歯車装置１４のリングギヤＲ１は、前記第１電動機ＭＧ１のロータ２０に連結されている。前記第１遊星歯車装置１４のキャリアＣ１は、クラッチＣＬ０を介して前記エンジン１２の出力軸であるクランク軸１２ａに連結されている。前記第１遊星歯車装置１４のサンギヤＳ１は、前記第２遊星歯車装置１６のサンギヤＳ２と相互に連結されると共に、前記第２電動機ＭＧ２のロータ２４に連結されている。前記第２遊星歯車装置１６のキャリアＣ２は、出力部材（出力回転部材）である出力歯車２８に連結されている。
【００１９】
前記駆動装置１０は、前記出力歯車２８と駆動輪である左右１対の車輪６０ｌ、６０ｒ（以下、特に区別しない場合には単に車輪６０という）との間の動力伝達経路に、カウンタ軸６２及び差動歯車装置６４を備えている。そのカウンタ軸６２と同軸に且つ一体的に固定されたカウンタドリブンギヤ６６及びファイナルドライブギヤ６８を備えている。前記カウンタドリブンギヤ６６は、前記出力歯車２８と相互に噛み合わされている。前記ファイナルドライブギヤ６８は、前記差動歯車装置６４に備えられた大歯車７０と相互に噛み合わされている。前記出力歯車２８から出力された駆動力は、前記カウンタドリブンギヤ６６、カウンタ軸６２、ファイナルドライブギヤ６８、差動歯車装置６４、及び左右１対の車軸７２ｌ、７２ｒ（以下、特に区別しない場合には単に車軸７２という）等を介して前記車輪６０へ伝達される。一方、車両の走行路面から前記車輪６０に対して入力されるトルクは、前記車軸７２、差動歯車装置６４、ファイナルドライブギヤ６８、カウンタ軸６２、及びカウンタドリブンギヤ６６等を介して前記出力歯車２８から前記駆動装置１０へ伝達（入力）される。
【００２０】
前記エンジン１２のクランク軸１２ａと前記第１遊星歯車装置１４のキャリアＣ１との間には、それらクランク軸１２ａとキャリアＣ１との間を選択的に係合させる（クランク軸１２ａとキャリアＣ１との間を断接する）クラッチＣＬ０が設けられている。前記第１遊星歯車装置１４のキャリアＣ１とリングギヤＲ１との間には、それらキャリアＣ１とリングギヤＲ１との間を選択的に係合させる（キャリアＣ１とリングギヤＲ１との間を断接する）クラッチＣＬ１が設けられている。前記第１遊星歯車装置１４のキャリアＣ１と前記第２遊星歯車装置１６のリングギヤＲ２との間には、それらキャリアＣ１とリングギヤＲ２との間を選択的に係合させる（キャリアＣ１とリングギヤＲ２との間を断接する）クラッチＣＬ２が設けられている。前記第１遊星歯車装置１４のリングギヤＲ１と非回転部材である前記ハウジング２６との間には、そのハウジング２６に対して前記リングギヤＲ１を選択的に係合（固定）させるブレーキＢＫ１が設けられている。前記第２遊星歯車装置１６のリングギヤＲ２と非回転部材である前記ハウジング２６との間には、そのハウジング２６に対して前記リングギヤＲ２を選択的に係合（固定）させるブレーキＢＫ２が設けられている。
【００２１】
前記クラッチＣＬ０、ＣＬ１、ＣＬ２（以下、特に区別しない場合には単にクラッチＣＬという）、及び前記ブレーキＢＫ１、ＢＫ２（以下、特に区別しない場合には単にブレーキＢＫという）は、好適には、何れも油圧制御回路５４から供給される油圧に応じて係合状態が制御される（係合又は解放させられる）油圧式係合装置である。例えば、湿式多板型の油圧式摩擦係合装置等が好適に用いられるが、噛合式の係合装置すなわち所謂ドグクラッチ（噛合クラッチ）であってもよい。更には、電磁式クラッチや磁粉式クラッチ等、電子制御装置３０から供給される電気的な指令に応じて係合状態が制御される（係合又は解放させられる）ものであってもよい。
【００２２】
前記駆動装置１０において、好適には、前記クラッチＣＬ０は、例えば前記エンジン１２の運転時等において接続される一方、車両の走行状態等に応じて適宜解放されるが、以下の実施例においては、前記クラッチＣＬ０が係合されているものとして説明を行う。ここで、前記駆動装置１０において、前記クラッチＣＬ０は必ずしも設けられなくともよい。すなわち、前記エンジン１２のクランク軸１２ａと前記第１遊星歯車装置１４のキャリアＣ１とは、前記クラッチＣＬ０を介することなくダンパ等を介して直接又は間接的に連結されたものであってもよい。
【００２３】
前述のように構成された駆動装置１０において、前記クラッチＣＬ１が係合されると、前記第１遊星歯車装置１４のキャリアＣ１とリングギヤＲ１との間が連結される。これにより、前記エンジン１２からの入力回転に関して、前記第１遊星歯車装置１４は一体的に回転させられ、その第１遊星歯車装置１４における、前記エンジン１２からの入力回転に係る変速比は固定変速比とされる。前記ブレーキＢＫ１が係合されると、前記第１遊星歯車装置１４のリングギヤＲ１が前記ハウジング２６に対して連結される。これにより、前記第１遊星歯車装置１４における、前記エンジン１２からの入力回転に係る変速比は固定変速比とされる。換言すれば、前記クラッチＣＬ１又は前記ブレーキＢＫ１の係合により、前記エンジン１２からの入力回転に係る前記第１遊星歯車装置１４の差動作用が制限され、前記第１遊星歯車装置１４の入出力回転に係る変速比が所定の固定変速比に定まる。すなわち、本実施例においては、前記クラッチＣＬ１、前記クラッチＢＫ１が、係合されることで、前記第１遊星歯車装置１４における、前記エンジン１２からの入力回転に係る変速比を固定変速比とする係合要素に相当する。
【００２４】
前記駆動装置１０において、前記第１遊星歯車装置１４及び第２遊星歯車装置１６は、前記クラッチＣＬ２が係合された状態において全体として４つの回転要素を構成するものである。換言すれば、後述する図４〜図１０に示すように、横軸方向において前記第１遊星歯車装置１４及び第２遊星歯車装置１６のギヤ比の相対関係を示し、縦軸方向において相対的回転速度を示す二次元座標である共線図上において４つの回転要素として表される第１遊星歯車装置１４及び第２遊星歯車装置１６と、４つの回転要素にそれぞれ連結されたエンジン１２、第１電動機ＭＧ１、第２電動機ＭＧ２、及び出力歯車２８とを、備えている。前記４つの回転要素のうちの１つは、前記第１遊星歯車装置１４のキャリアＣ１と前記第２遊星歯車装置１６のリングギヤＲ２とがクラッチＣＬ２を介して選択的に連結される。そのクラッチＣＬ２による係合対象となる前記リングギヤＲ２が、前記ハウジング２６に対してブレーキＢＫ２を介して選択的に連結される。
【００２５】
図２は、前記駆動装置１０の駆動を制御するためにその駆動装置１０に備えられた制御系統の要部を説明する図である。この図２に示す電子制御装置３０は、ＣＰＵ、ＲＯＭ、ＲＡＭ、及び入出力インターフェイス等を含んで構成され、ＲＡＭの一時記憶機能を利用しつつＲＯＭに予め記憶されたプログラムに従って信号処理を実行する所謂マイクロコンピュータであり、前記エンジン１２の駆動制御や、前記第１電動機ＭＧ１及び第２電動機ＭＧ２に関するハイブリッド駆動制御をはじめとする前記駆動装置１０の駆動に係る各種制御を実行する。すなわち、本実施例においては、前記電子制御装置３０が前記駆動装置１０の制御装置に相当する。前記電子制御装置３０は、前記エンジン１２の出力制御用や前記第１電動機ＭＧ１及び第２電動機ＭＧ２の作動制御用といったように、必要に応じて各制御毎に個別の制御装置として構成される。
【００２６】
図２に示すように、前記電子制御装置３０には、前記駆動装置１０の各部に設けられたセンサやスイッチ等から各種信号が供給されるように構成されている。すなわち、アクセル開度センサ３２により運転者の出力要求量に対応する図示しないアクセルペダルの操作量であるアクセル開度ＡCCを表す信号、エンジン回転速度センサ３４により前記エンジン１２の回転速度であるエンジン回転速度ＮEを表す信号、第１電動機回転速度センサ３６により前記第１電動機ＭＧ１の回転速度ＮMG1を表す信号、第２電動機回転速度センサ３８により前記第２電動機ＭＧ２の回転速度ＮMG2を表す信号、車速検出部としての出力回転速度センサ４０により車速Ｖに対応する前記出力歯車２８の回転速度ＮOUTを表す信号、バッテリＳＯＣセンサ４２によりバッテリ４８の充電容量（充電状態）ＳＯＣを表す信号等が、それぞれ前記電子制御装置３０に供給される。
【００２７】
前記電子制御装置３０からは、前記駆動装置１０の各部に作動指令が出力されるように構成されている。すなわち、前記エンジン１２の出力を制御するエンジン出力制御指令として、燃料噴射装置による吸気配管等への燃料供給量を制御する燃料噴射量信号、点火装置による前記エンジン１２の点火時期（点火タイミング）を指令する点火信号、及び電子スロットル弁のスロットル弁開度θTHを操作するためにスロットルアクチュエータへ供給される電子スロットル弁駆動信号等が、そのエンジン１２の出力を制御するエンジン制御装置５２へ出力される。前記第１電動機ＭＧ１及び第２電動機ＭＧ２の作動を指令する指令信号がインバータ５０へ出力され、そのインバータ５０を介して前記バッテリ４８からその指令信号に応じた電気エネルギが前記第１電動機ＭＧ１及び第２電動機ＭＧ２に供給されてそれら第１電動機ＭＧ１及び第２電動機ＭＧ２の出力（トルク）が制御される。前記第１電動機ＭＧ１及び第２電動機ＭＧ２により発電された電気エネルギが前記インバータ５０を介して前記バッテリ４８に供給され、そのバッテリ４８に蓄積されるようになっている。前記クラッチＣＬ、ブレーキＢＫの係合状態を制御する指令信号が油圧制御回路５４に備えられた電磁制御弁へ供給され、それら電磁制御弁から出力される油圧が制御されることで前記クラッチＣＬ、ブレーキＢＫの係合状態が制御されるようになっている。
【００２８】
前記駆動装置１０は、前記第１電動機ＭＧ１及び第２電動機ＭＧ２を介して運転状態が制御されることにより、入力回転速度と出力回転速度の差動状態が制御される電気式差動部として機能する。例えば、前記第１電動機ＭＧ１により発電された電気エネルギを前記インバータ５０を介してバッテリ４８や第２電動機ＭＧ２へ供給する。これにより、前記エンジン１２の動力の主要部は機械的に前記出力歯車２８へ伝達される一方、その動力の一部は前記第１電動機ＭＧ１の発電のために消費されてそこで電気エネルギに変換され、前記インバータ５０を通してその電気エネルギが前記第２電動機ＭＧ２へ供給される。そして、その第２電動機ＭＧ２が駆動されて第２電動機ＭＧ２から出力された動力が前記出力歯車２８へ伝達される。この電気エネルギの発生から第２電動機ＭＧ２で消費されるまでに関連する機器により、前記エンジン１２の動力の一部を電気エネルギに変換し、その電気エネルギを機械的エネルギに変換するまでの電気パスが構成される。
【００２９】
以上のように構成された駆動装置１０が適用されたハイブリッド車両においては、前記エンジン１２、第１電動機ＭＧ１、及び第２電動機ＭＧ２の駆動状態、及び前記クラッチＣＬ、ブレーキＢＫの係合状態等に応じて、複数の走行モードの何れかが選択的に成立させられる。図３は、前記駆動装置１０において成立させられる８種類の走行モードそれぞれにおける前記クラッチＣＬ１、ＣＬ２、前記ブレーキＢＫ１、ＢＫ２の係合状態を示す係合表であり、係合を「○」で、解放を空欄でそれぞれ示している。この図３に示す走行モード「ＨＶ１」、「ＨＶ２」は、何れも前記エンジン１２を例えば走行用の駆動源として駆動させると共に、前記第１電動機ＭＧ１及び第２電動機ＭＧ２により必要に応じて駆動又は発電等を行うハイブリッド走行モードである。このハイブリッド走行モードにおいて、前記第１電動機ＭＧ１及び第２電動機ＭＧ２の少なくとも一方により反力を発生させるものであってもよく、無負荷の状態で空転させるものであってもよい。走行モード「ＥＶ１」、「ＥＶ２」は、何れも前記エンジン１２の運転が停止させられると共に、前記第１電動機ＭＧ１及び第２電動機ＭＧ２の少なくとも一方を走行用の駆動源として用いるＥＶ走行モードである。本実施例においては、前記走行モード「ＥＶ１」、「ＥＶ２」が、係合要素である前記クラッチＣＬ１及び前記ブレーキＢＫ１を解放させると共に前記エンジン１２を停止させる走行モードに相当する。走行モード「１速」〜「４速」は、前記第１遊星歯車装置１４及び前記第２遊星歯車装置１６の差動作用を制限することにより実現する、前記エンジン１２からの入力回転に係る変速比を固定変速比とする固定変速比モードである。本実施例においては、前記走行モード「１速」〜「４速」が、係合要素である前記クラッチＣＬ１及び前記ブレーキＢＫ１の何れか一方を係合させると共に前記エンジン１２の駆動を行う走行モードに相当する。
【００３０】
図３に示すように、前記駆動装置１０においては、前記エンジン１２を例えば走行用の駆動源として駆動させると共に、前記第１電動機ＭＧ１及び第２電動機ＭＧ２により必要に応じて駆動又は発電等を行うハイブリッド走行モードにおいて、前記クラッチＣＬ１及び前記ブレーキＢＫ１は共に解放され、前記第１遊星歯車装置１４における、前記エンジン１２からの入力回転に係る差動作用が許可される。前記ブレーキＢＫ２が係合されると共に前記クラッチＣＬ２が解放されることで「ＨＶ１」が成立させられる。前記ブレーキＢＫ２が解放されると共に前記クラッチＣＬ２が係合されることで「ＨＶ２」が成立させられる。
【００３１】
前記エンジン１２の運転が停止させられると共に、前記第１電動機ＭＧ１及び第２電動機ＭＧ２の少なくとも一方を走行用の駆動源として用いるＥＶ走行モードにおいて、前記クラッチＣＬ１及び前記ブレーキＢＫ１は共に解放され、前記第１遊星歯車装置１４における、前記エンジン１２からの入力回転に係る差動作用が許可される。前記ブレーキＢＫ２が係合されると共に前記クラッチＣＬ２が解放されることで「ＥＶ１」が成立させられる。前記クラッチＣＬ２及びブレーキＢＫ２が共に係合されることで「ＥＶ２」が成立させられる。
【００３２】
前記エンジン１２からの入力回転に係る変速比を固定変速比とする固定変速比モードにおいて、前記クラッチＣＬ１及び前記ブレーキＢＫ１の何れか一方が係合され、前記第１遊星歯車装置１４における、前記エンジン１２からの入力回転に係る差動作用が制限される。前記クラッチＣＬ１及び前記ブレーキＢＫ２が係合されると共に、前記クラッチＣＬ２及び前記ブレーキＢＫ１が解放されることで、固定変速比モードにおいて前記エンジン１２からの入力回転に係る変速比が最も大きい第１変速段である「１速」が成立させられる。前記クラッチＣＬ１及びＣＬ２が解放されると共に、前記ブレーキＢＫ１及びＢＫ２が係合されることで、「１速」よりも変速比が小さい第２変速段である「２速」が成立させられる。前記クラッチＣＬ１及びＣＬ２が係合されると共に、前記ブレーキＢＫ１及びＢＫ２が解放されることで、「２速」よりも変速比が小さい第３変速段である「３速」が成立させられる。前記クラッチＣＬ１及び前記ブレーキＢＫ２が解放されると共に、前記クラッチＣＬ２及び前記ブレーキＢＫ１が係合されることで、固定変速比モードにおいて前記エンジン１２からの入力回転に係る変速比が最も小さい第４変速段である「４速」が成立させられる。
【００３３】
図４〜図１０は、前記駆動装置１０（第１遊星歯車装置１４及び第２遊星歯車装置１６）において、前記クラッチＣＬ１、ＣＬ２、及び前記ブレーキＢＫ１、ＢＫ２それぞれの係合状態に応じて連結状態が異なる各回転要素の回転速度の相対関係を直線上で表すことができる共線図を示しており、横軸方向において前記第１遊星歯車装置１４及び第２遊星歯車装置１６のギヤ比ρの相対関係を示し、縦軸方向において相対的回転速度を示す二次元座標である。車両前進時における前記出力歯車２８の回転方向を正の方向（正回転）として各回転速度を表している。横線Ｘ１は回転速度零を示している。縦線Ｙ１〜Ｙ４（Ｙ４ａ、Ｙ４ｂ）は、左から順に実線Ｙ１が前記第１遊星歯車装置１４のリングギヤＲ１（第１電動機ＭＧ１）、実線Ｙ２ａが前記第１遊星歯車装置１４のキャリアＣ１（エンジン１２）、破線Ｙ２ｂが前記第２遊星歯車装置１６のリングギヤＲ２、破線Ｙ３が前記第２遊星歯車装置１６のキャリアＣ２（出力歯車２８）、実線Ｙ４ａが前記第１遊星歯車装置１４のサンギヤＳ１、破線Ｙ４ｂが前記第２遊星歯車装置１６のサンギヤＳ２（第２電動機ＭＧ２）それぞれの相対回転速度を示している。図４〜図１０においては、縦線Ｙ２ａ及びＹ２ｂ、縦線Ｙ４ａ及びＹ４ｂをそれぞれ重ねて表している。ここで、前記サンギヤＳ１及びＳ２は相互に連結されているため、縦線Ｙ４ａ、Ｙ４ｂにそれぞれ示すサンギヤＳ１及びＳ２の相対回転速度は等しい。
【００３４】
図４〜図１０においては、前記第１遊星歯車装置１４における３つの回転要素の相対的な回転速度を実線Ｌ１で、前記第２遊星歯車装置１６における３つの回転要素の相対的な回転速度を破線Ｌ２でそれぞれ示している。前記縦線Ｙ１〜Ｙ４（Ｙ２ｂ〜Ｙ４ｂ）の間隔は、前記第１遊星歯車装置１４及び第２遊星歯車装置１６の各ギヤ比ρ１、ρ２に応じて定められている。すなわち、前記第１遊星歯車装置１４における３つの回転要素に対応する縦線Ｙ１、Ｙ２ａ、Ｙ４ａに関して、サンギヤＳ１とキャリアＣ１との間が１に対応するものとされ、キャリアＣ１とリングギヤＲ１との間がρ１に対応するものとされる。前記第２遊星歯車装置１６における３つの回転要素に対応する縦線Ｙ２ｂ、Ｙ３、Ｙ４ｂに関して、サンギヤＳ２とキャリアＣ２との間が１に対応するものとされ、キャリアＣ２とリングギヤＲ２との間がρ２に対応するものとされる。以下、図４〜図１０を用いて前記駆動装置１０における各走行モードについて説明する。
【００３５】
図４に示す共線図は、前記駆動装置１０における走行モード「ＨＶ１」に対応するものであり、好適には、前記エンジン１２が駆動されて走行用の駆動源として用いられると共に、必要に応じて前記第１電動機ＭＧ１及び第２電動機ＭＧ２による駆動又は発電が行われるハイブリッド走行モードである。図４の共線図を用いて説明すれば、前記クラッチＣＬ１及び前記ブレーキＢＫ１が解放されることで、前記第１遊星歯車装置１４における、前記エンジン１２からの入力回転に係る差動作用が許可されている。前記クラッチＣＬ２が解放されることで前記第１遊星歯車装置１４のキャリアＣ１と前記第２遊星歯車装置１６のリングギヤＲ２との相対回転が可能とされている。前記ブレーキＢＫ２が係合されることで前記第２遊星歯車装置１６のリングギヤＲ２が非回転部材である前記ハウジング２６に対して連結（固定）され、その回転速度が零とされている。この走行モード「ＨＶ１」においては、前記エンジン１２が駆動させられ、その出力トルクにより前記出力歯車２８が回転させられる。この際、前記第１遊星歯車装置１４において、前記第１電動機ＭＧ１により反力トルクを出力させることで、前記エンジン１２からの出力の前記出力歯車２８への伝達が可能とされる。前記第２遊星歯車装置１６においては、前記ブレーキＢＫ２が係合されていることで、前記第２電動機ＭＧ２により正のトルク（正の方向のトルク）が出力されると、そのトルクにより前記キャリアＣ２すなわち出力歯車２８は正の方向に回転させられる。
【００３６】
図５に示す共線図は、前記駆動装置１０における走行モード「ＨＶ２」に対応するものであり、好適には、前記エンジン１２が駆動されて走行用の駆動源として用いられると共に、必要に応じて前記第１電動機ＭＧ１及び第２電動機ＭＧ２による駆動又は発電が行われるハイブリッド走行モードである。図５の共線図を用いて説明すれば、前記クラッチＣＬ１及び前記ブレーキＢＫ１が解放されることで、前記第１遊星歯車装置１４における、前記エンジン１２からの入力回転に係る差動作用が許可されている。前記クラッチＣＬ２が係合されることで前記第１遊星歯車装置１４のキャリアＣ１と前記第２遊星歯車装置１６のリングギヤＲ２との相対回転が不能とされており、前記キャリアＣ１及びリングギヤＲ２が一体的に回転させられる１つの回転要素として動作する。前記サンギヤＳ１及びＳ２は相互に連結されていることで、それらサンギヤＳ１及びＳ２は一体的に回転させられる１つの回転要素として動作する。すなわち、走行モード「ＨＶ２」において、前記駆動装置１０における前記第１遊星歯車装置１４及び第２遊星歯車装置１６における回転要素は、全体として４つの回転要素を備えた差動機構として機能する。すなわち、図５において紙面向かって左から順に示す４つの回転要素であるリングギヤＲ１（第１電動機ＭＧ１）、相互に連結されたキャリアＣ１及びリングギヤＲ２（エンジン１２）、キャリアＣ２（出力歯車２８）、相互に連結されたサンギヤＳ１及びＳ２（第２電動機ＭＧ２）の順に結合した複合スプリットモードとなる。
【００３７】
前記走行モード「ＨＶ２」においては、前記クラッチＣＬ２が係合されることで前記第１遊星歯車装置１４のキャリアＣ１と前記第２遊星歯車装置１６のリングギヤＲ２とが連結されており、前記キャリアＣ１及びリングギヤＲ２が一体的に回転させられる。このため、前記エンジン１２の出力に対して、前記第１電動機ＭＧ１及び第２電動機ＭＧ２の何れによっても反力を受けることができる。すなわち、前記エンジン１２の駆動に際して、その反力を前記第１電動機ＭＧ１及び第２電動機ＭＧ２の一方又は両方で分担して受けることが可能となり、効率の良い動作点で動作させたり、熱によるトルク制限等の制約を緩和する走行等が可能となる。
【００３８】
図４に示す共線図は、前記駆動装置１０における走行モード「ＥＶ１」に対応するものでもあり、好適には、前記エンジン１２の運転が停止させられると共に、前記第２電動機ＭＧ２が走行用の駆動源として用いられるＥＶ走行モードである。図４の共線図を用いて説明すれば、前記クラッチＣＬ１及び前記ブレーキＢＫ１が解放されることで、前記第１遊星歯車装置１４における、前記エンジン１２からの入力回転に係る差動作用が許可されている。前記クラッチＣＬ２が解放されることで前記第１遊星歯車装置１４のキャリアＣ１と前記第２遊星歯車装置１６のリングギヤＲ２との相対回転が可能とされている。前記ブレーキＢＫ２が係合されることで前記第２遊星歯車装置１６のリングギヤＲ２が非回転部材である前記ハウジング２６に対して連結（固定）され、その回転速度が零とされている。この走行モード「ＥＶ１」においては、前記第２遊星歯車装置１６において、前記第２電動機ＭＧ２により正のトルク（正の方向のトルク）が出力されると、そのトルクにより前記キャリアＣ２すなわち出力歯車２８は正の方向に回転させられる。すなわち、前記第２電動機ＭＧ２により正のトルクを出力させることにより、前記駆動装置１０の適用されたハイブリッド車両を前進走行させることができる。この場合において、好適には、前記第１電動機ＭＧ１は空転させられる。本実施例においては、前記走行モード「ＥＶ１」が、係合要素である前記クラッチＣＬ１、ブレーキＢＫ１、及び前記クラッチＣＬ２を解放させると共に、前記エンジン１２を停止させて、専ら前記第２電動機ＭＧ２から出力されるトルクにより走行を行う第１のＥＶ走行モードに相当する。
【００３９】
図６に示す共線図は、前記駆動装置１０における走行モード「ＥＶ２」に対応するものであり、好適には、前記エンジン１２の運転が停止させられると共に、前記第１電動機ＭＧ１及び第２電動機ＭＧ２の少なくとも一方が走行用の駆動源として用いられるＥＶ走行モードである。図６の共線図を用いて説明すれば、前記クラッチＣＬ１及び前記ブレーキＢＫ１が解放されることで、前記第１遊星歯車装置１４における、前記エンジン１２からの入力回転に係る差動作用が許可されている。前記クラッチＣＬ２が係合されることで前記第１遊星歯車装置１４のキャリアＣ１と前記第２遊星歯車装置１６のリングギヤＲ２との相対回転が不能とされている。更に、前記ブレーキＢＫ２が係合されることで前記第２遊星歯車装置１６のリングギヤＲ２及びそのリングギヤＲ２に係合された前記第１遊星歯車装置１４のキャリアＣ１が非回転部材である前記ハウジング２６に対して連結（固定）され、その回転速度が零とされている。この走行モード「ＥＶ２」においては、前記第１遊星歯車装置１４において、前記リングギヤＲ１の回転方向と前記サンギヤＳ１の回転方向とが逆方向となる。すなわち、前記第１電動機ＭＧ１により負のトルク（負の方向のトルク）が出力されると、そのトルクにより前記キャリアＣ２すなわち出力歯車２８は正の方向に回転させられる。前記第２電動機ＭＧ２により正のトルク（正の方向のトルク）が出力されると、そのトルクにより前記キャリアＣ２すなわち出力歯車２８は正の方向に回転させられる。すなわち、前記第１電動機ＭＧ１及び第２電動機ＭＧ２の少なくとも一方によりトルクを出力させることにより、前記駆動装置１０の適用されたハイブリッド車両を前進走行させることができる。本実施例においては、前記走行モード「ＥＶ２」が、係合要素である前記クラッチＣＬ１、ブレーキＢＫ１を解放させ且つ前記クラッチＣＬ２を係合させると共に、前記エンジン１２を停止させて前記第１電動機ＭＧ１及び前記第２電動機ＭＧ２の少なくとも一方から出力されるトルクにより走行を行う第２のＥＶ走行モードに相当する。
【００４０】
前記走行モード「ＥＶ２」においては、前記第１電動機ＭＧ１及び第２電動機ＭＧ２の少なくとも一方により発電を行う形態を成立させることもできる。この形態においては、前記第１電動機ＭＧ１及び第２電動機ＭＧ２の一方或いは両方により走行用の駆動力（トルク）を分担して発生させることが可能となり、各電動機を効率の良い動作点で動作させたり、熱によるトルク制限等の制約を緩和する走行等が可能となる。更に、前記バッテリ４８の充電状態が満充電の場合等、回生による発電が許容されない場合に、前記第１電動機ＭＧ１及び第２電動機ＭＧ２の一方或いは両方を空転させることも可能である。すなわち、前記走行モード「ＥＶ２」においては、幅広い走行条件においてＥＶ走行を行うことや、長時間継続してＥＶ走行を行うことが可能となる。従って、前記走行モード「ＥＶ２」は、プラグインハイブリッド車両等、ＥＶ走行を行う割合が高いハイブリッド車両において好適に採用される。
【００４１】
図３に示す走行モード「１速」〜「４速」は、前記第１遊星歯車装置１４及び前記第２遊星歯車装置１６の差動作用を制限することにより実現する、前記エンジン１２からの入力回転に係る変速比を固定変速比とする固定変速比モードである。これらの走行モード「１速」〜「４速」においては、第１の係合要素である前記クラッチＣＬ１及び前記ブレーキＢＫ１の何れか一方が係合されることで、前記第１遊星歯車装置１４における、前記エンジン１２からの入力回転に係る変速比が固定変速比とされている。前記走行モード「１速」〜「４速」においては、必ずしも前記エンジン１２が駆動させられなくともよいが、本実施例においては、前記走行モード「１速」〜「４速」において前記エンジン１２の駆動が行われる場合について説明する。
【００４２】
図７に示す共線図は、前記駆動装置１０における走行モード「１速」に対応するものである。図７の共線図を用いて説明すれば、前記クラッチＣＬ１の係合により、前記第１遊星歯車装置１４は一体的に回転させられる１つの回転要素とされる。すなわち、前記リングギヤＲ１に連結された前記第１電動機ＭＧ１、前記キャリアＣ１に連結された前記エンジン１２、及び前記サンギヤＳ１（サンギヤＳ２）に連結された前記第２電動機ＭＧ２の回転速度が同一となる。これにより、前記エンジン１２から入力された駆動力は、一体的に回転させられる前記第１遊星歯車装置１４を介して前記第２遊星歯車装置１６のサンギヤＳ２へ伝達される。前記第２遊星歯車装置１６においては、前記ブレーキＢＫ２の係合によりリングギヤＲ２が前記ハウジング２６に固定されているため、前記エンジン１２側からサンギヤＳ２へ入力された駆動力は、前記第２遊星歯車装置１６において減速されてキャリアＣ２から前記出力歯車２８へ伝達される。この走行モード「１速」においては、前記エンジン１２から出力された駆動力が、第１変速段に対応する固定変速比で変速されて前記出力歯車２８へ伝達される。更に、前記第１電動機ＭＧ１及び第２電動機ＭＧ２の少なくとも一方から出力された駆動力を前記出力歯車２８へ伝達することも可能とされる。
【００４３】
図８に示す共線図は、前記駆動装置１０における走行モード「２速」に対応するものである。図８の共線図を用いて説明すれば、前記ブレーキＢＫ１の係合により前記第１遊星歯車装置１４のリングギヤＲ１が前記ハウジング２６に固定されているため、前記エンジン１２からキャリアＣ１へ入力された駆動力は、前記第１遊星歯車装置１４において増速されて前記第２遊星歯車装置１６のサンギヤＳ２へ伝達される。前記第２遊星歯車装置１６においては、前記ブレーキＢＫ２の係合によりリングギヤＲ２が前記ハウジング２６に固定されているため、前記エンジン１２側からサンギヤＳ２へ入力された駆動力は、前記第２遊星歯車装置１６において減速されてキャリアＣ２から前記出力歯車２８へ伝達される。この走行モード「２速」においては、前記エンジン１２から出力された駆動力が、第２変速段に対応する固定変速比で変速されて前記出力歯車２８へ伝達される。更に、前記第２電動機ＭＧ２から出力された駆動力を前記出力歯車２８へ伝達することも可能とされる。
【００４４】
図９に示す共線図は、前記駆動装置１０における走行モード「３速」に対応するものである。図９の共線図を用いて説明すれば、前記クラッチＣＬ１の係合により、前記第１遊星歯車装置１４は一体的に回転させられる１つの回転要素とされる。すなわち、前記リングギヤＲ１に連結された前記第１電動機ＭＧ１、前記キャリアＣ１に連結された前記エンジン１２、及び前記サンギヤＳ１（サンギヤＳ２）に連結された前記第２電動機ＭＧ２の回転速度が同一となる。更に、前記クラッチＣＬ２の係合により、前記第１遊星歯車装置１４及び前記第２遊星歯車装置１６は一体的に回転させられる１つの回転要素とされる。これにより、前記エンジン１２からキャリアＣ１へ入力された駆動力は、一体的に回転させられる前記第１遊星歯車装置１４及び前記第２遊星歯車装置１６を介してキャリアＣ２から前記出力歯車２８へ伝達される。この走行モード「３速」においては、前記エンジン１２から出力された駆動力が、第３変速段に対応する固定変速比（＝１）で変速されて前記出力歯車２８へ伝達される。更に、前記第１電動機ＭＧ１及び第２電動機ＭＧ２の少なくとも一方から出力された駆動力を前記出力歯車２８へ伝達することも可能とされる。
【００４５】
図１０に示す共線図は、前記駆動装置１０における走行モード「４速」に対応するものである。図１０の共線図を用いて説明すれば、前記クラッチＣＬ２の係合により、前記第１遊星歯車装置１４のキャリアＣ１と前記第２遊星歯車装置１６のリングギヤＲ２とが相互に結合され、一体的に回転させられる１つの回転要素とされる。すなわち、相互に連結されたキャリアＣ１及びリングギヤＲ２の回転速度と、前記エンジン１２の回転速度とが等しい状態となる。更に、前記ブレーキＢＫ１の係合により、前記第１遊星歯車装置１４のリングギヤＲ１が前記ハウジング２６に固定されているため、前記エンジン１２から相互に連結されたキャリアＣ１及びリングギヤＲ２へ入力された駆動力は増速されてキャリアＣ２から前記出力歯車２８へ伝達される。この走行モード「４速」においては、前記エンジン１２から出力された駆動力が、第４変速段に対応する固定変速比で変速されて前記出力歯車２８へ伝達される。更に、前記第２電動機ＭＧ２から出力された駆動力を前記出力歯車２８へ伝達することも可能とされる。
【００４６】
以上のように、図３に示す走行モード「１速」〜「４速」においては、前記クラッチＣＬ１及び前記ブレーキＢＫ１の何れか一方が係合されており、前記第１遊星歯車装置１４及び前記第２遊星歯車装置１６の差動作用が制限され、前記エンジン１２から出力された駆動力が、所定の固定変速比で変速されて前記出力歯車２８へ伝達される状態となる。換言すれば、前記走行モード「１速」〜「４速」においては、前記出力歯車２８の回転速度或いは車速Ｖ等によって前記エンジン１２の回転速度ＮEが一意に定まる。すなわち、前記走行モード「１速」〜「４速」が形成されている状態では、車両減速度に対応して前記エンジン回転速度ＮEの低下速度（停止勾配）が定まる。一方、前記クラッチＣＬ１及び前記ブレーキＢＫ１が共に解放された状態においては、前記第１遊星歯車装置１４及び前記第２遊星歯車装置１６の差動作用が許可される。
【００４７】
図１１は、前記電子制御装置３０に備えられた制御機能の要部を説明する機能ブロック線図である。この図１１に示す走行モード切替制御部８０は、前記駆動装置１０において成立させられる走行モードを判定する。すなわち、予め定められた関係から、前記アクセル開度センサ３４により検出されるアクセル開度ＡCC、前記出力回転速度センサ４０により検出される出力回転速度に相当する車速Ｖ、及び前記バッテリＳＯＣセンサ４６により検出される前記バッテリ４８の充電容量ＳＯＣ等に基づいて、例えば前述した図３に示す走行モードの何れが成立させられるべき状態かを判定する。すなわち、基本的には、予め定められた関係から、前記アクセル開度センサ３４により検出されるアクセル開度ＡCC、前記出力回転速度センサ４０により検出される出力回転速度に相当する車速Ｖ、及び前記バッテリＳＯＣセンサ４６により検出される前記バッテリ４８の充電容量ＳＯＣ等に基づいて、前記走行モード「ＨＶ１」、「ＨＶ２」、「ＥＶ１」、「ＥＶ２」、「１速」、「２速」、「３速」、「４速」のうち何れの走行モードが成立させられるべき状態かを判定する。
【００４８】
クラッチ係合制御部８２は、前記油圧制御回路５４を介して前記クラッチＣＬ１、ＣＬ２の係合状態を制御する。具体的には、前記油圧制御回路５４に備えられた、前記クラッチＣＬ１、ＣＬ２に対応する電磁制御弁からの出力圧を制御することで、前記クラッチＣＬ１、ＣＬ２の係合状態（トルク容量）を定める油圧ＰCL1、ＰCL2制御する。好適には、前記走行モード切替制御部８０により判定される走行モードに応じて前記クラッチＣＬ１、ＣＬ２の係合状態を制御する。すなわち、基本的には、前記駆動装置１０において前記走行モード「１速」、「３速」が成立させられると判定された場合には、前記クラッチＣＬ１を係合させるようにそのトルク容量を制御する。前記駆動装置１０において前記走行モード「ＨＶ１」、「ＨＶ２」、「ＥＶ１」、「ＥＶ２」、「２速」、「４速」が成立させられると判定された場合には、前記クラッチＣＬ１を解放させるようにそのトルク容量を制御する。前記駆動装置１０において前記走行モード「ＨＶ２」、「ＥＶ２」、「３速」、「４速」が成立させられると判定された場合には、前記クラッチＣＬ２を係合させるようにそのトルク容量を制御する。前記駆動装置１０において前記走行モード「ＨＶ１」、「ＥＶ１」、「１速」、「２速」が成立させられると判定された場合には、前記クラッチＣＬ２を解放させるようにそのトルク容量を制御する。
【００４９】
ブレーキ係合制御部８４は、前記油圧制御回路５４を介して前記ブレーキＢＫ１、ＢＫ２の係合状態を制御する。具体的には、前記油圧制御回路５４に備えられた、前記ブレーキＢＫ１、ＢＫ２に対応する電磁制御弁からの出力圧を制御することで、前記ブレーキＢＫ１、ＢＫ２の係合状態（トルク容量）を定める油圧ＰBK1、ＰBK2を制御する。好適には、前記走行モード切替制御部８０により判定される走行モードに応じて前記ブレーキＢＫ１、ＢＫ２の係合状態を制御する。すなわち、基本的には、前記駆動装置１０において前記走行モード「２速」、「４速」が成立させられると判定された場合には、前記ブレーキＢＫ１を係合させるようにそのトルク容量を制御する。前記駆動装置１０において前記走行モード「ＨＶ１」、「ＨＶ２」、「ＥＶ１」、「ＥＶ２」、「１速」、「３速」が成立させられると判定された場合には、前記ブレーキＢＫ１を解放させるようにそのトルク容量を制御する。前記駆動装置１０において前記走行モード「ＨＶ１」、「ＥＶ１」、「ＥＶ２」、「１速」、「２速」が成立させられると判定された場合には、前記ブレーキＢＫ２を係合させるようにそのトルク容量を制御する。前記駆動装置１０において前記走行モード「ＨＶ２」、「３速」、「４速」が成立させられると判定された場合には、前記ブレーキＢＫ２を解放させるようにそのトルク容量を制御する。
【００５０】
エンジン駆動制御部８６は、前記エンジン制御装置５２を介して前記エンジン１２の駆動を制御する。例えば、前記エンジン制御装置５２を介して前記エンジン１２の燃料噴射装置による吸気配管等への燃料供給量、点火装置による前記エンジン１２の点火時期（点火タイミング）、及び電子スロットル弁のスロットル弁開度θTH等を制御することで、前記エンジン１２により必要な出力すなわち目標トルク（目標エンジン出力）が得られるように制御する。
【００５１】
第１電動機駆動制御部８８は、前記インバータ５０を介して前記第１電動機ＭＧ１の駆動を制御する。例えば、前記インバータ５０を介して前記バッテリ４８から前記第１電動機ＭＧ１へ供給される電気エネルギ等を制御することで、前記第１電動機ＭＧ１により必要な出力すなわち目標トルク（目標ＭＧ１出力）が得られるように制御する。第２電動機駆動制御部９０は、前記インバータ５０を介して前記第２電動機ＭＧ２の駆動を制御する。例えば、前記インバータ５０を介して前記バッテリ４８から前記第２電動機ＭＧ２へ供給される電気エネルギ等を制御することで、前記第２電動機ＭＧ２により必要な出力すなわち目標トルク（目標ＭＧ２出力）が得られるように制御する。
【００５２】
前記エンジン１２を駆動させると共に前記第１電動機ＭＧ１及び第２電動機ＭＧ２を走行用の駆動源として用いるハイブリッド走行モードでは、前記アクセル開度センサ３２により検出されるアクセル開度ＡCC及び前記出力回転速度センサ４０により検出される出力回転速度ＮOUTに対応する車速Ｖ等に基づいて前記駆動装置１０（出力歯車２８）から出力されるべき要求駆動力が算出される。前記エンジン１２の出力トルク及び前記第１電動機ＭＧ１、第２電動機ＭＧ２の出力トルクにより斯かる要求駆動力が実現されるように、前記第１電動機駆動制御部８８及び第２電動機駆動制御部９０を介して前記第１電動機ＭＧ１及び第２電動機ＭＧ２の作動が制御されると共に、前記エンジン駆動制御部８６を介して前記エンジン１２の駆動が制御される。
【００５３】
エンジン回転停止制御部９２は、前記エンジン１２の駆動を行う走行モードから、前記エンジン１２を停止させる走行モードへの移行に際して、前記エンジン１２を停止させる制御を行う。具体的には、前記エンジン駆動制御部８６を介して前記エンジン制御装置５２からの燃料の供給及び点火制御等を停止させると共に、前記エンジン１２の回転速度ＮEを低下させ、延いては停止させるエンジン停止制御を行う。好適には、前記クラッチＣＬ１及び前記ブレーキＢＫ１の少なくとも一方を係合させると共に前記エンジン１２の駆動を行う固定変速比モード「１速」〜「４速」の何れかから、前記クラッチＣＬ１及び前記ブレーキＢＫ１を解放させると共に前記エンジン１２を停止させるＥＶ走行モード「ＥＶ１」又は「ＥＶ２」への移行に際して、以下に詳述するエンジン停止制御を行う。
【００５４】
前記エンジン回転停止制御部９２は、具体的には、前記固定変速比モード「１速」〜「４速」から前記ＥＶ走行モード「ＥＶ１」又は「ＥＶ２」への移行に際して、以下の第１の制御及び第２の制御の何れかを実行することで、前記エンジン１２の回転速度ＮEを低下させ、延いては停止させる。すなわち、第１の制御では、前記クラッチＣＬ１及び前記ブレーキＢＫ１を解放させ、前記第１電動機ＭＧ１及び前記第２電動機ＭＧ２の少なくとも一方の出力トルクにより前記エンジン１２の回転速度ＮEを低下させる。換言すれば、前記エンジン１２の回転速度ＮEを低下させるように、前記第１電動機ＭＧ１及び前記第２電動機ＭＧ２の少なくとも一方からトルクを発生させる。第２の制御では、前記クラッチＣＬ１又は前記ブレーキＢＫ１の係合を維持し、前記車輪６０側から伝達（入力）される減速度により前記エンジン１２の回転速度ＮEを低下させる。この第２の制御において、好適には、前記エンジン１２の回転速度ＮEを低下させるために前記第１電動機ＭＧ１及び前記第２電動機ＭＧ２からトルクを出力させない。換言すれば、前記第１電動機ＭＧ１及び前記第２電動機ＭＧ２からの出力トルクを用いることなく、車両減速に応じて前記エンジン１２の回転速度ＮEを低下させる。
【００５５】
前記エンジン回転停止制御部９２は、好適には、前記クラッチＣＬ２を係合させることにより前記エンジン１２の回転速度ＮEを低下させる第３の制御を実行する。この第３の制御は、好適には、前記第１の制御において付加的に実行される。例えば、前記クラッチＣＬ１及び前記ブレーキＢＫ１を解放させ、前記第１電動機ＭＧ１及び前記第２電動機ＭＧ２の少なくとも一方の出力トルクにより前記エンジン１２の回転速度ＮEを低下させる制御において、所定の条件が成立した場合に、前記クラッチＣＬ２を係合させることで前記エンジン１２の回転速度ＮEを低下させる。或いは、前記ブレーキＢＫ２を係合させることで前記エンジン１２の回転速度ＮEを低下させるものであってもよい。
【００５６】
前記エンジン回転停止制御部９２は、好適には、車両の走行状態に応じて、前記第１の制御、第２の制御、及び第３の制御の何れかを選択的に実行する。すなわち、前記固定変速比モード「１速」〜「４速」の何れかから前記ＥＶ走行モード「ＥＶ１」又は「ＥＶ２」への移行に際して、予め定められた関係から、前記出力回転速度センサ４０により検出される車速Ｖ又は前記エンジン回転速度センサ３４により検出されるエンジン回転速度ＮEと、前記車速Ｖの時間変化率（単位時間あたりの減少率）である車両減速勾配ＳVとに基づいて、前記第１の制御、第２の制御、及び第３の制御の何れかを選択的に実行する。
【００５７】
前記エンジン回転停止制御部９２は、好適には、前記固定変速比モード「１速」〜「４速」の何れかから前記ＥＶ走行モード「ＥＶ１」又は「ＥＶ２」への移行に際して、車速Ｖ又はエンジン回転速度ＮEが所定値Ｖ0又はＮE0未満であり、且つ車両減速勾配ＳVが所定値Ｓ0以上である場合には、前記クラッチＣＬ１又は前記ブレーキＢＫ１の係合を維持し、前記車輪６０側から伝達（入力）される減速度により前記エンジン１２の回転速度ＮEを低下させる前記第２の制御を実行し、それ以外の場合には、前記クラッチＣＬ１及び前記ブレーキＢＫ１を解放させ、前記第１電動機ＭＧ１及び前記第２電動機ＭＧ２の少なくとも一方の出力トルクにより前記エンジン１２の回転速度ＮEを低下させる前記第１の制御を実行する。すなわち、車速Ｖが所定値Ｖ0以上又はエンジン回転速度ＮEが所定値ＮE0以上である場合、或いは車両減速勾配ＳVが所定値Ｓ0未満である場合には前記第１の制御を実行する。
【００５８】
前記エンジン回転停止制御部９２は、好適には、前記固定変速比モード「１速」〜「４速」の何れかから前記ＥＶ走行モード「ＥＶ２」への移行に際して、前記エンジン回転速度センサ３４により検出されるエンジン回転速度ＮEが所定値ＮE1未満である場合には、前記クラッチＣＬ２を係合させて前記エンジン１２の回転速度ＮEを低下させる前記第３の制御を実行する。この判定の基準となる所定値ＮE1は、好適には前記所定値ＮE0とは異なる値であるが、等しい値であってもよい。前記エンジン回転停止制御部９２は、好適には、前記第１の制御によりエンジン回転速度ＮEを低下させる際、すなわち前記クラッチＣＬ１及び前記ブレーキＢＫ１を解放させ、前記第１電動機ＭＧ１及び前記第２電動機ＭＧ２の少なくとも一方の出力トルクにより前記エンジン１２の回転速度ＮEを低下させる制御において、エンジン回転速度ＮEが所定値ＮE1未満となった場合には、前記クラッチＣＬ２を係合させて前記エンジン１２の回転速度ＮEを低下させる。
【００５９】
前述のように、前記駆動装置１０において固定変速比モード「１速」〜「４速」の何れかが成立させられている場合、前記出力歯車２８の回転速度或いは車速Ｖ等によって前記エンジン１２の回転速度ＮEが一意に定まるため、車両減速度に対応して前記エンジン回転速度ＮEの低下速度（停止勾配）が定まる。前記駆動装置１０において、前記エンジン１２の回転速度ＮEを低下させる場合、所定の低下勾配すなわち時間変化率で低下させることが求められる。前記エンジン１２の回転速度ＮEを斯かる所定の低下勾配で低下させない場合、前記エンジン１２を停止させるまでに要する時間が長くなる、或いは前記エンジン１２の爆発変動を抑えるための図示しないダンパ等において、駆動系（例えば、エンジンマス、ダンパばね、アウトプットマスを含む駆動系）における共振点を通過する際に共振が発生するおそれがある。エンジン回転速度ＮEが所定値ＮE1未満である場合に、前記クラッチＣＬ２を係合させる前記第３の制御を行うことで、斯かる共振の発生を抑制して前記エンジン１２を可及的速やかに停止させることができる。
【００６０】
図１２は、前記電子制御装置３０による本実施例の走行モード切替制御の一例の要部を説明するフローチャートであり、所定の周期で繰り返し実行されるものである。
【００６１】
先ず、ステップ（以下、ステップを省略する）ＳＡ１において、前記駆動装置１０において前記固定変速比モード「１速」が成立させられているか否かが判断される。このＳＡ１の判断が否定される場合には、後述するように、前記駆動装置１０において前記固定変速比モード「２速」等が成立させられている場合における制御が実行されるが、ＳＡ１の判断が肯定される場合には、ＳＡ２において、前記固定変速比モード「１速」から前記ＥＶ走行モード「ＥＶ１」への移行（切替）が判定されたか否かが判断される。このＳＡ２の判断が否定される場合には、ＳＡ１３以下の処理が実行されるが、ＳＡ２の判断が肯定される場合には、ＳＡ３において、車速Ｖ又はエンジン回転速度ＮEが所定値Ｖ0又はＮE0未満であるか否かが判断される。このＳＡ３の判断が否定される場合には、ＳＡ１１以下の処理が実行されるが、ＳＡ３の判断が肯定される場合には、ＳＡ４において、車両減速勾配ＳVが所定値Ｓ0以上であるか否かが判断される。このＳＡ４の判断が否定される場合には、ＳＡ１１以下の処理が実行されるが、ＳＡ４の判断が肯定される場合には、ＳＡ５において、前記クラッチＣＬ１の係合が維持され、前記車輪６０側から伝達される減速度により前記エンジン１２の回転速度ＮEを低下させる前記第２の制御が実行された後、ＳＡ６以下の処理が実行される。
【００６２】
ＳＡ６においては、車速Ｖ又はエンジン回転速度ＮEが所定値Ｖ0又はＮE0未満であるか否かが判断される。このＳＡ６の判断が否定される場合には、ＳＡ４以下の処理が再び実行されるが、ＳＡ６の判断が肯定される場合には、ＳＡ７において、車両減速勾配ＳVが所定値Ｓ0以上であるか否かが判断される。このＳＡ７の判断が否定される場合には、ＳＡ１１以下の処理が実行されるが、ＳＡ７の判断が肯定される場合には、ＳＡ８において、前記クラッチＣＬ１の係合が維持され、前記車輪６０側から伝達される減速度により前記エンジン１２の回転速度ＮEを低下させる前記第２の制御が実行される。次に、ＳＡ９において、車速Ｖ又はエンジン回転速度ＮEが零になった（停止した）か否かが判断される。このＳＡ９の判断が否定される場合には、ＳＡ７以下の処理が再び実行されるが、ＳＡ９の判断が肯定される場合には、ＳＡ１０において、前記クラッチＣＬ１が解放させられ、前記ブレーキＢＫ２が係合されて、前記駆動装置１０において前記走行モード「ＥＶ１」が成立させられた後、それをもって本ルーチンが終了させられる。
【００６３】
ＳＡ１１においては、前記クラッチＣＬ１が解放させられ、前記第１電動機ＭＧ１の出力トルクにより前記エンジン１２の回転速度ＮEを低下させる前記第１の制御が実行される。次に、ＳＡ１２において、エンジン回転速度ＮEが零になった（停止した）か否かが判断される。このＳＡ１２の判断が否定される場合には、ＳＡ１１以下の処理が再び実行されるが、ＳＡ１２の判断が肯定される場合には、前記ブレーキＢＫ２が係合されて、前記駆動装置１０において前記走行モード「ＥＶ１」が成立させられた後、それをもって本ルーチンが終了させられる。ＳＡ１３においては、前記固定変速比モード「１速」から前記ＥＶ走行モード「ＥＶ２」への移行（切替）が判定されたか否かが判断される。このＳＡ１３の判断が否定される場合には、それをもって本ルーチンが終了させられるが、ＳＡ１３の判断が肯定される場合には、ＳＡ１４において、車速Ｖ又はエンジン回転速度ＮEが所定値Ｖ0又はＮE0未満であるか否かが判断される。このＳＡ１４の判断が否定される場合には、ＳＡ２２以下の処理が実行されるが、ＳＡ１４の判断が肯定される場合には、ＳＡ１５において、車両減速勾配ＳVが所定値Ｓ0以上であるか否かが判断される。このＳＡ１５の判断が否定される場合には、ＳＡ２２以下の処理が実行されるが、ＳＡ１５の判断が肯定される場合には、ＳＡ１６以下の処理が実行される。
【００６４】
ＳＡ１６においては、前記クラッチＣＬ１の係合が維持され、前記車輪６０側から伝達される減速度により前記エンジン１２の回転速度ＮEを低下させる前記第２の制御が実行される。次に、ＳＡ１７において、車速Ｖ又はエンジン回転速度ＮEが所定値Ｖ0又はＮE0未満であるか否かが判断される。このＳＡ１７の判断が否定される場合には、ＳＡ１５以下の処理が再び実行されるが、ＳＡ１７の判断が肯定される場合には、ＳＡ１８において、車両減速勾配ＳVが所定値Ｓ0以上であるか否かが判断される。このＳＡ１８の判断が否定される場合には、ＳＡ２２以下の処理が実行されるが、ＳＡ１８の判断が肯定される場合には、ＳＡ１９において、前記クラッチＣＬ１の係合が維持され、前記車輪６０側から伝達される減速度により前記エンジン１２の回転速度ＮEを低下させる前記第２の制御が実行される。次に、ＳＡ２０において、車速Ｖ又はエンジン回転速度ＮEが零になった（停止した）か否かが判断される。このＳＡ２０の判断が否定される場合には、ＳＡ１８以下の処理が再び実行されるが、ＳＡ２０の判断が肯定される場合には、ＳＡ２１において、前記クラッチＣＬ１が解放させられ、前記クラッチＣＬ２及び前記ブレーキＢＫ２が係合されて、前記駆動装置１０において前記走行モード「ＥＶ２」が成立させられた後、それをもって本ルーチンが終了させられる。
【００６５】
ＳＡ２２においては、前記クラッチＣＬ１が解放させられ、前記第１電動機ＭＧ１の出力トルクにより前記エンジン１２の回転速度ＮEを低下させる前記第１の制御が実行される。次に、ＳＡ２３において、エンジン回転速度ＮEが所定値ＮE1未満であるか否かが判断される。このＳＡ２３の判断が否定される場合には、ＳＡ２２以下の処理が再び実行されるが、ＳＡ２３の判断が肯定される場合には、ＳＡ２４において、前記第１電動機ＭＧ１の出力トルクが徐々に減らされつつ、前記クラッチＣＬ２の係合により前記エンジン１２の回転速度ＮEを低下させる前記第３の制御が実行される。次に、ＳＡ２５において、エンジン回転速度ＮEが零になった（停止した）か否かが判断される。このＳＡ２５の判断が否定される場合には、ＳＡ２４以下の処理が再び実行されるが、ＳＡ２５の判断が肯定される場合には、前記クラッチＣＬ２及び前記ブレーキＢＫ２が係合されて、前記駆動装置１０において前記走行モード「ＥＶ２」が成立させられた後、それをもって本ルーチンが終了させられる。
【００６６】
図１２に示す制御において、ＳＡ１の判断が否定される場合、例えば前記駆動装置１０において前記固定変速比モード「２速」が成立させられている場合には、前述したＳＡ２〜ＳＡ２５において、前記クラッチＣＬ１に対応する操作が、前記ブレーキＢＫ１に対応する操作に置き換えられた処理が実行される。換言すれば、前記固定変速比モード「２速」から前記ＥＶ走行モード「ＥＶ１」又は「ＥＶ２」への移行に関して、図１２に示す各ステップにおける前記クラッチＣＬ１に対応する操作を、前記ブレーキＢＫ１に対応する操作に置き換えた処理が実行される。図１２に示す制御において、ＳＡ１、ＳＡ２、及びＳＡ１３が前記走行モード切替制御部８０の動作に、ＳＡ１０、ＳＡ１１、ＳＡ２１、ＳＡ２２、及びＳＡ２４が前記クラッチ係合制御部８２及び前記ブレーキ係合制御部８４の動作に、ＳＡ１１、ＳＡ２２、及びＳＡ２４が前記第１電動機駆動制御部８８の動作に、ＳＡ１〜ＳＡ２５が前記エンジン回転停止制御部９２の動作に、それぞれ対応する。
【００６７】
図１３は、前記電子制御装置３０による本実施例の走行モード切替制御の他の一例の要部を説明するフローチャートであり、所定の周期で繰り返し実行されるものである。
【００６８】
先ず、ＳＢ１において、前記駆動装置１０において前記固定変速比モード「３速」が成立させられているか否かが判断される。このＳＢ１の判断が否定される場合には、後述するように、前記駆動装置１０において前記固定変速比モード「４速」等が成立させられている場合における制御が実行されるが、ＳＢ１の判断が肯定される場合には、ＳＢ２において、前記固定変速比モード「３速」から前記ＥＶ走行モード「ＥＶ１」への移行（切替）が判定されたか否かが判断される。このＳＢ２の判断が否定される場合には、ＳＢ１３以下の処理が実行されるが、ＳＢ２の判断が肯定される場合には、ＳＢ３において、車速Ｖ又はエンジン回転速度ＮEが所定値Ｖ0又はＮE0未満であるか否かが判断される。このＳＢ３の判断が否定される場合には、ＳＢ１１以下の処理が実行されるが、ＳＢ３の判断が肯定される場合には、ＳＢ４において、車両減速勾配ＳVが所定値Ｓ0以上であるか否かが判断される。このＳＢ４の判断が否定される場合には、ＳＢ１１以下の処理が実行されるが、ＳＢ４の判断が肯定される場合には、ＳＢ５において、前記クラッチＣＬ１の係合が維持され、前記車輪６０側から伝達される減速度により前記エンジン１２の回転速度ＮEを低下させる前記第２の制御が実行された後、ＳＢ６以下の処理が実行される。
【００６９】
ＳＢ６においては、車速Ｖ又はエンジン回転速度ＮEが所定値Ｖ0又はＮE0未満であるか否かが判断される。このＳＢ６の判断が否定される場合には、ＳＢ４以下の処理が再び実行されるが、ＳＢ６の判断が肯定される場合には、ＳＢ７において、車両減速勾配ＳVが所定値Ｓ0以上であるか否かが判断される。このＳＢ７の判断が否定される場合には、ＳＢ１１以下の処理が実行されるが、ＳＢ７の判断が肯定される場合には、ＳＢ８において、前記クラッチＣＬ１の係合が維持され、前記車輪６０側から伝達される減速度により前記エンジン１２の回転速度ＮEを低下させる前記第２の制御が実行される。次に、ＳＢ９において、車速Ｖ又はエンジン回転速度ＮEが零になった（停止した）か否かが判断される。このＳＢ９の判断が否定される場合には、ＳＢ７以下の処理が再び実行されるが、ＳＢ９の判断が肯定される場合には、ＳＢ１０において、前記クラッチＣＬ１及び前記クラッチＣＬ２が解放させられ、前記ブレーキＢＫ２が係合されて、前記駆動装置１０において前記走行モード「ＥＶ１」が成立させられた後、それをもって本ルーチンが終了させられる。
【００７０】
ＳＢ１１においては、前記クラッチＣＬ１及び前記クラッチＣＬ２が解放させられ、前記第１電動機ＭＧ１及び前記第２電動機ＭＧ２の少なくとも一方の出力トルクにより前記エンジン１２の回転速度ＮEを低下させる前記第１の制御が実行される。この第１の制御と併行して、前記ブレーキＢＫ２の係合トルク（トルク容量）が漸増させられる。次に、ＳＢ１２において、エンジン回転速度ＮEが零になった（停止した）か否かが判断される。このＳＢ１２の判断が否定される場合には、ＳＢ１１以下の処理が再び実行されるが、ＳＢ１２の判断が肯定される場合には、前記ブレーキＢＫ２が係合されて、前記駆動装置１０において前記走行モード「ＥＶ１」が成立させられた後、それをもって本ルーチンが終了させられる。ＳＢ１３においては、前記固定変速比モード「３速」から前記ＥＶ走行モード「ＥＶ２」への移行（切替）が判定されたか否かが判断される。このＳＢ１３の判断が否定される場合には、それをもって本ルーチンが終了させられるが、ＳＢ１３の判断が肯定される場合には、ＳＢ１４において、車速Ｖ又はエンジン回転速度ＮEが所定値Ｖ0又はＮE0未満であるか否かが判断される。このＳＢ１４の判断が否定される場合には、ＳＢ２２以下の処理が実行されるが、ＳＢ１４の判断が肯定される場合には、ＳＢ１５において、車両減速勾配ＳVが所定値Ｓ0以上であるか否かが判断される。このＳＢ１５の判断が否定される場合には、ＳＢ２２以下の処理が実行されるが、ＳＢ１５の判断が肯定される場合には、ＳＢ１６以下の処理が実行される。
【００７１】
ＳＢ１６においては、前記クラッチＣＬ１の係合が維持され、前記車輪６０側から伝達される減速度により前記エンジン１２の回転速度ＮEを低下させる前記第２の制御が実行される。次に、ＳＢ１７において、車速Ｖ又はエンジン回転速度ＮEが所定値Ｖ0又はＮE0未満であるか否かが判断される。このＳＢ１７の判断が否定される場合には、ＳＢ１５以下の処理が再び実行されるが、ＳＢ１７の判断が肯定される場合には、ＳＢ１８において、車両減速勾配ＳVが所定値Ｓ0以上であるか否かが判断される。このＳＢ１８の判断が否定される場合には、ＳＢ２２以下の処理が実行されるが、ＳＢ１８の判断が肯定される場合には、ＳＢ１９において、前記クラッチＣＬ１の係合が維持され、前記車輪６０側から伝達される減速度により前記エンジン１２の回転速度ＮEを低下させる前記第２の制御が実行される。次に、ＳＢ２０において、車速Ｖ又はエンジン回転速度ＮEが零になった（停止した）か否かが判断される。このＳＢ２０の判断が否定される場合には、ＳＢ１８以下の処理が再び実行されるが、ＳＢ２０の判断が肯定される場合には、ＳＢ２１において、前記クラッチＣＬ１が解放させられると共に前記ブレーキＢＫ２が係合されて、前記駆動装置１０において前記走行モード「ＥＶ２」が成立させられた後、それをもって本ルーチンが終了させられる。
【００７２】
ＳＢ２２においては、前記クラッチＣＬ１及び前記クラッチＣＬ２が解放させられ、前記第１電動機ＭＧ１及び前記第２電動機ＭＧ２の少なくとも一方の出力トルクにより前記エンジン１２の回転速度ＮEを低下させる前記第１の制御が実行される。次に、ＳＢ２３において、エンジン回転速度ＮEが所定値ＮE1未満であるか否かが判断される。このＳＢ２３の判断が否定される場合には、ＳＢ２２以下の処理が再び実行されるが、ＳＢ２３の判断が肯定される場合には、ＳＢ２４において、前記第１電動機ＭＧ１及び前記第２電動機ＭＧ２の出力トルクが徐々に減らされつつ、前記クラッチＣＬ２及び前記ブレーキＢＫ２の係合により前記エンジン１２の回転速度ＮEを低下させる前記第３の制御が実行される。次に、ＳＢ２５において、エンジン回転速度ＮEが零になった（停止した）か否かが判断される。このＳＢ２５の判断が否定される場合には、ＳＢ２４以下の処理が再び実行されるが、ＳＢ２５の判断が肯定される場合には、前記クラッチＣＬ２及び前記ブレーキＢＫ２が係合されて、前記駆動装置１０において前記走行モード「ＥＶ２」が成立させられた後、それをもって本ルーチンが終了させられる。
【００７３】
図１３に示す制御において、ＳＢ１の判断が否定される場合、例えば前記駆動装置１０において前記固定変速比モード「４速」が成立させられている場合には、前述したＳＢ２〜ＳＢ２５において、前記クラッチＣＬ１に対応する操作が、前記ブレーキＢＫ１に対応する操作に置き換えられた処理が実行される。換言すれば、前記固定変速比モード「４速」から前記ＥＶ走行モード「ＥＶ１」又は「ＥＶ２」への移行に関して、図１３に示す各ステップにおける前記クラッチＣＬ１に対応する操作を、前記ブレーキＢＫ１に対応する操作に置き換えた処理が実行される。図１３に示す制御において、ＳＢ１、ＳＢ２、及びＳＢ１３が前記走行モード切替制御部８０の動作に、ＳＢ１０、ＳＢ１１、ＳＢ２１、ＳＢ２２、及びＳＢ２４が前記クラッチ係合制御部８２及び前記ブレーキ係合制御部８４の動作に、ＳＢ１１、ＳＢ２２、及びＳＢ２４が前記第１電動機駆動制御部８８の動作に、ＳＢ１〜ＳＢ２５が前記エンジン回転停止制御部９２の動作に、それぞれ対応する。
【００７４】
本実施例によれば、係合要素である前記クラッチＣＬ１又は前記ブレーキＢＫ１を係合させると共に前記エンジン１２の駆動を行う走行モード「１速」〜「４速」の何れかから、前記クラッチＣＬ１及び前記ブレーキＢＫ１を解放させると共に前記エンジン１２を停止させる走行モード「ＥＶ１」又は「ＥＶ２」への移行に際して、前記クラッチＣＬ１及び前記ブレーキＢＫ１を解放させ、前記第１電動機ＭＧ１及び前記第２電動機ＭＧ２の少なくとも一方の出力トルクにより前記エンジン１２の回転速度ＮEを低下させる第１の制御、及び、前記クラッチＣＬ１又は前記ブレーキＢＫ１の係合を維持し、前記車輪６０側からの減速度により前記エンジン１２の回転速度ＮEを低下させる第２の制御の何れかを、車速Ｖ又はエンジン回転速度ＮEと車両減速勾配ＳVとに基づいて選択的に実行するものであることから、車両の走行状態に応じて適切な制御を行うことで、前記エンジン停止時の消費電力を抑制できる。すなわち、走行モードの切り換えに際しての燃費の悪化を抑制する駆動装置１０の電子制御装置３０を提供することができる。
【００７５】
係合要素である前記クラッチＣＬ１又は前記ブレーキＢＫ１を係合させると共に前記エンジン１２の駆動を行う走行モード「１速」〜「４速」の何れかから、前記クラッチＣＬ１及び前記ブレーキＢＫ１を解放させると共に前記エンジン１２を停止させる走行モード「ＥＶ１」又は「ＥＶ２」への移行に際して、車速Ｖ又はエンジン回転速度ＮEが所定値Ｖ0又はＮE0未満であり、且つ車両減速勾配ＳVが所定値Ｓ0以上である場合には前記第２の制御を実行し、それ以外の場合には前記第１の制御を実行するものであるため、車両の走行状態に応じて適宜前記第１の制御及び第２の制御を選択的に実行することで、消費電力を抑制しつつ好適なエンジン停止制御を実現できる。
【００７６】
前記駆動装置１０において、前記４つの回転要素のうちの１つは、前記第１遊星歯車装置１４の第２回転要素であるキャリアＣ１と前記第２遊星歯車装置１６の第１回転要素であるリングギヤＲ２とがクラッチＣＬ２を介して選択的に連結されるものであり、前記クラッチＣＬ１及び前記ブレーキＢＫ１、及び前記クラッチＣＬ２を解放させると共に、前記エンジン１２を停止させて前記第２電動機ＭＧ２から出力されるトルクにより走行を行う第１のＥＶ走行モード「ＥＶ１」と、前記クラッチＣＬ１及び前記ブレーキＢＫ１を解放させ且つ前記クラッチＣＬ２を係合させると共に、前記エンジン１２を停止させて前記第１電動機ＭＧ１及び前記第２電動機ＭＧ２の少なくとも一方から出力されるトルクにより走行を行う第２のＥＶ走行モード「ＥＶ２」とを、選択的に成立させるものであり、前記走行モード「１速」〜「４速」の何れかから、前記第２のＥＶ走行モード「ＥＶ２」への移行に際して、エンジン回転速度ＮEが所定値ＮE1未満である場合には、前記クラッチＣＬ２を係合させて前記エンジン１２の回転速度ＮEを低下させるものであるため、エンジン停止時における共振の発生を好適に抑制することができる。
【００７７】
以上、本発明の好適な実施例を図面に基づいて詳細に説明したが、本発明はこれに限定されるものではなく、その趣旨を逸脱しない範囲内において種々の変更が加えられて実施されるものである。
【符号の説明】
【００７８】
１０：ハイブリッド車両用駆動装置、１２：エンジン、１４：第１遊星歯車装置（第１差動機構）、１６：第２遊星歯車装置（第２差動機構）、２８：出力歯車（出力部材）、３０：電子制御装置、６０：車輪、ＢＫ１：ブレーキ（係合要素）、Ｃ１：キャリア（回転要素）、Ｃ２：キャリア（回転要素）、ＣＬ１：クラッチ（係合要素）、ＣＬ２：クラッチ、ＭＧ１：第１電動機、ＭＧ２：第２電動機、Ｒ１：リングギヤ（回転要素）、Ｒ２：リングギヤ（回転要素）、Ｓ１：サンギヤ（回転要素）、Ｓ２：サンギヤ（回転要素）
【図１】
2015229473.tif 000003
【図２】
2015229473.tif 000004
【図３】
2015229473.tif 000005
【図４】
2015229473.tif 000006
【図５】
2015229473.tif 000007
【図６】
2015229473.tif 000008
【図７】
2015229473.tif 000009
【図８】
2015229473.tif 000010
【図９】
2015229473.tif 000011
【図１０】
2015229473.tif 000012
【図１１】
2015229473.tif 000013
【図１２】
2015229473.tif 000014
【図１３】
2015229473.tif 000015